(57)【要約】【課題】  １又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる場合に、ユーザの利便性の高めること。【解決手段】  コンテンツ情報の各先頭文字の選択回数を管理し、選択回数に基づいてデフォルトタブから独立してタブを表示する先頭文字を特定し、当該先頭文字に対応するタブを表示させる。ユーザ操作によって、独立して表示されたタブが選択されると、特定された先頭文字で始まる１又は複数のコンテンツ情報のみを含むコンテンツ情報リストを表示させる。【選択図】図５
2012083926.tif 000002
【特許請求の範囲】
【請求項１】
複数のコンテンツのコンテンツ情報リストを表示装置に表示させるコンテンツ情報リスト表示装置であって、
１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、
コンテンツ情報の各先頭文字の選択回数を管理する選択回数管理手段と、
前記選択回数管理手段によって管理されている選択回数に基づいて、前記タブから独立および分割したタブを表示する先頭文字を特定する特定手段とを備え、
前記表示制御手段が、前記特定手段によって特定された先頭文字に対応するタブを独立して表示させ、ユーザ操作によって、独立して表示されたタブが選択された場合、前記特定手段によって特定された先頭文字で始まる１又は複数のコンテンツ情報のみを含むコンテンツ情報リストを表示させる、コンテンツ情報リスト表示装置。
【請求項２】
前記特定手段が、各先頭文字の選択回数の偏差値を算出し、前記偏差値が第１所定値よりも大きい先頭文字を、前記タブから独立および分割したタブを表示する先頭文字として特定する、請求項１に記載のコンテンツ情報リスト表示装置。
【請求項３】
複数のコンテンツのコンテンツ情報リストを表示装置に表示させるコンテンツ情報リスト表示装置であって、
１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、
コンテンツ情報の各先頭文字の選択回数を管理する選択回数管理手段と、
前記選択回数管理手段によって管理されている選択回数に基づいて、結合すべき複数のタブを特定する特定手段とを備え、
前記表示制御手段が、前記特定手段によって特定された複数のタブを結合して表示させ、ユーザ操作によって、結合して表示されたタブが選択された場合、前記特定手段によって特定された複数のタブに対応する複数の先頭文字で始まる１又は複数のコンテンツ情報を含むコンテンツ情報リストを表示させる、コンテンツ情報リスト表示装置。
【請求項４】
前記特定手段が、各先頭文字の選択回数の偏差値を算出し、タブ内の全先頭文字の偏差値が第２所定値よりも小さいタブを結合すべきタブとして特定する、請求項３に記載のコンテンツ情報リスト表示装置。
【請求項５】
複数のコンテンツのコンテンツ情報リストを表示装置に表示させるコンテンツ情報リスト表示装置であって、
１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、
各先頭文字で始まるコンテンツ情報の数を管理する情報数管理手段と、
前記情報数管理手段によって管理されている数に基づいて、前記タブから独立および分割したタブを表示する先頭文字を特定する特定手段とを備え、
前記表示制御手段が、前記特定手段によって特定された先頭文字のタブを独立して表示させ、ユーザ操作によって、独立して表示されたタブが選択された場合、前記特定手段によって特定された先頭文字で始まる１又は複数のコンテンツ情報のみを含むコンテンツ情報リストを表示させる、コンテンツ情報リスト表示装置。
【請求項６】
複数のコンテンツのコンテンツ情報リストを表示装置に表示させるコンテンツ情報リスト表示装置であって、
１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、
各先頭文字で始まるコンテンツ情報の数を管理する情報数管理手段と、
前記情報数管理手段によって管理されている数に基づいて、結合すべき複数のタブを特定する特定手段とを備え、
前記表示制御手段が、前記特定手段によって特定された複数のタブを結合して表示させ、ユーザ操作によって、結合して表示されたタブが選択された場合、前記特定手段によって特定された複数のタブに対応する複数の先頭文字で始まる１又は複数のコンテンツ情報を含むコンテンツ情報リストを表示させる、コンテンツ情報リスト表示装置。
【請求項７】
請求項１〜６のいずれかに記載のコンテンツ情報リスト表示装置の各手段をコンピュータに実行させる、コンテンツ情報表示プログラム。
【発明の詳細な説明】
【技術分野】
【０００１】
本発明は、コンテンツ情報リストを表示するコンテンツ情報リスト表示装置に関する。
【背景技術】
【０００２】
大容量記憶媒体を備えるオーディオ機器においては、コンテンツを検索するために、５０音検索が可能になっている。図８に示すように、一般的にはひらがなの先頭文字、及び／又は、英字の2,3文字が、タブとしてコンテンツリスト画面に表示される。例えば、タブの名称は、「あ」「か」「さ」…「ABC」「DEF」等である。「あ」のタブを選択すると、先頭文字が「あ」行、つまり、「あ」「い」「う」「え」「お」であるコンテンツ情報（メタデータ）を検索できる。検索できるコンテンツ情報は、アーティスト名、アルバム名、トラック名（曲名）等である。タブに表示される先頭文字や、タブに含まれる先頭文字は変更することができない。従って、「あ」行には多数のコンテンツ情報が存在するが、「ら」行にはコンテンツ情報がほとんど存在しないという状況がある。また、同じ「あ」行の中でも、先頭文字が「え」であるコンテンツ情報は多数存在するが、先頭文字が「い」「う」であるコンテンツ情報は少ないという状況も考えられる。つまり、表示している先頭文字によって、コンテンツ情報の数に偏りがあることが一般的である。
【０００３】
例えば、先頭文字が「あ」行のコンテンツ情報の数が膨大であると、「あ」のタブを選択し、先頭文字が「お」であるコンテンツ情報を選択する場合、先頭文字が「あ」「い」「う」「え」である多数のコンテンツ情報を全てカーソルダウンによって、スキップさせる必要があり、その操作が煩雑であるという問題がある。先頭文字が「お」であるコンテンツ情報を頻繁に選択する場合には、その都度、多数回のカーソルダウン処理を行わなければならない。
【先行技術文献】
【特許文献】
【０００４】
【特許文献１】実開平０６−４８３４公報
【発明の概要】
【発明が解決しようとする課題】
【０００５】
本発明は上記従来の課題を解決するためになされたものであり、その目的は、１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる場合に、ユーザの利便性の高めることである。
【課題を解決するための手段】
【０００６】
本発明の好ましい実施形態によるコンテンツ情報リスト表示装置は、複数のコンテンツのコンテンツ情報リストを表示装置に表示させるコンテンツ情報リスト表示装置であって、１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、コンテンツ情報の各先頭文字の選択回数を管理する選択回数管理手段と、前記選択回数管理手段によって管理されている選択回数に基づいて、前記タブから独立および分割したタブを表示する先頭文字を特定する特定手段とを備え、前記表示制御手段が、前記特定手段によって特定された先頭文字に対応するタブを独立して表示させ、ユーザ操作によって、独立して表示されたタブが選択された場合、前記特定手段によって特定された先頭文字で始まる１又は複数のコンテンツ情報のみを含むコンテンツ情報リストを表示させる。
【０００７】
選択回数に基づいて、特定された先頭文字を独立して分割したタブとして表示させるので、ユーザ操作によって独立したタブが選択されることにより、独立したタブに対応する唯一の先頭文字で始まるコンテンツ情報に迅速に到達し、選択することができる。
【０００８】
好ましい実施形態においては、前記特定手段が、各先頭文字の選択回数の偏差値を算出し、前記偏差値が第１所定値よりも大きい先頭文字を、前記タブから独立および分割したタブを表示する先頭文字として特定する。
【０００９】
この場合、選択回数の多い先頭文字を独立したタブとして表示することができるので、ユーザ操作によって独立したタブが選択されることにより、選択回数の多いコンテンツ情報に迅速に到達し、選択することができる。
【００１０】
本発明の好ましい実施形態によるコンテンツ情報リスト表示装置は、複数のコンテンツのコンテンツ情報リストを表示装置に表示させるコンテンツ情報リスト表示装置であって、１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、コンテンツ情報の各先頭文字の選択回数を管理する選択回数管理手段と、前記選択回数管理手段によって管理されている選択回数に基づいて、結合すべき複数のタブを特定する特定手段とを備え、前記表示制御手段が、前記特定手段によって特定された複数のタブを結合して表示させ、ユーザ操作によって、結合して表示されたタブが選択された場合、前記特定手段によって特定された複数のタブに対応する複数の先頭文字で始まる１又は複数のコンテンツ情報を含むコンテンツ情報リストを表示させる。
【００１１】
選択回数に基づいて、特定された複数のタブを結合したタブとして表示させるので、ユーザ操作によって結合したタブが選択されることにより、結合したタブに対応する全ての先頭文字で始まるコンテンツ情報を選択することができる。
【００１２】
好ましい実施形態においては、前記特定手段が、各先頭文字の選択回数の偏差値を算出し、タブ内の全先頭文字の偏差値が第２所定値よりも小さいタブを結合すべきタブとして特定する。
【００１３】
この場合、選択回数の少ない複数のタブが結合されるので、タブを選択する際に選択回数の少ないタブをユーザ操作によってスキップする回数を削減することができ、迅速に所望のタブに到達し、選択することができる。
【００１４】
本発明の好ましい実施形態によるコンテンツ情報リスト表示装置は、複数のコンテンツのコンテンツ情報リストを表示装置に表示させるコンテンツ情報リスト表示装置であって、１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、各先頭文字で始まるコンテンツ情報の数を管理する情報数管理手段と、前記情報数管理手段によって管理されている数に基づいて、前記タブから独立および分割したタブを表示する先頭文字を特定する特定手段とを備え、前記表示制御手段が、前記特定手段によって特定された先頭文字のタブを独立して表示させ、ユーザ操作によって、独立して表示されたタブが選択された場合、前記特定手段によって特定された先頭文字で始まる１又は複数のコンテンツ情報のみを含むコンテンツ情報リストを表示させる。
【００１５】
各先頭文字で始まる情報の数に基づいて、特定された先頭文字を独立して分割したタブとして表示させるので、ユーザ操作によって独立したタブが選択されることにより、独立したタブに対応する唯一の先頭文字で始まるコンテンツ情報に迅速に到達し、選択することができる。
【００１６】
本発明の好ましい実施形態によるコンテンツ情報リスト表示装置は、複数のコンテンツのコンテンツ情報リストを表示装置に表示させるコンテンツ情報リスト表示装置であって、１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる表示制御手段と、各先頭文字で始まるコンテンツ情報の数を管理する情報数管理手段と、前記情報数管理手段によって管理されている数に基づいて、結合すべき複数のタブを特定する特定手段とを備え、前記表示制御手段が、前記特定手段によって特定された複数のタブを結合して表示させ、ユーザ操作によって、結合して表示されたタブが選択された場合、前記特定手段によって特定された複数のタブに対応する複数の先頭文字で始まる１又は複数のコンテンツ情報を含むコンテンツ情報リストを表示させる。
【００１７】
各先頭文字で始まる情報の数に基づいて、特定された複数のタブを結合したタブとして表示させるので、ユーザ操作によって結合したタブが選択されることにより、結合したタブに対応する全ての先頭文字で始まるコンテンツ情報を選択することができる。
【発明の効果】
【００１８】
１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる場合に、ユーザの利便性の高めることができる。
【図面の簡単な説明】
【００１９】
【図１】本発明の好ましい実施形態によるコンテンツ再生装置（コンテンツ情報リスト表示装置）を示すブロック図である。
【図２】コンテンツリスト画面を示す図である。
【図３】各モードのコンテンツ情報の選択回数を管理するためのテーブルである。
【図４】制御部２による各先頭文字の選択回数更新処理を示すフローチャートである。
【図５】制御部２によるコンテンツリスト画面の変更処理を示すフローチャートである。
【図６】各先頭文字で始まるコンテンツ情報の数を管理するためのテーブルである。
【図７】各タブに含まれる先頭文字の個数と、各タブに含まれる先頭文字の内、選択回数の偏差値が第２所定値よりも小さい個数とを管理するテーブルである。
【図８】従来のコンテンツリスト画面を示す図である。
【発明を実施するための形態】
【００２０】
以下、本発明の好ましい実施形態について、図面を参照して具体的に説明するが、本発明はこれらの実施形態には限定されない。図１は、本発明の好ましい実施形態によるコンテンツ情報リスト表示装置が適用されるコンテンツ再生装置１００の構成を示すブロック図である。コンテンツ再生装置１００は、ＨＤＤ（Hard Disk Drive）５に記録されている複数のコンテンツの中から選択されたコンテンツを再生部８において再生し、映像及び／又は音声等を出力するものである。コンテンツ再生装置１００は、コンテンツリスト画面を表示し、コンテンツリスト画面の中からユーザ操作によって所望のコンテンツが選択される。ここで、コンテンツとは、映像データ、曲（音楽）データ、又は静止画データ等の総称であるが、本例では曲データの場合を例に説明する。
【００２１】
コンテンツ再生装置１００は、制御部２、ＲＡＭ３、ＲＯＭ４、ＨＤＤ５、操作部６、表示部７、及び、再生部８を備える。これらは、バスを介して互いに接続されている。
【００２２】
制御部２は、コンテンツ再生装置１００の全体を制御するものであり、ＲＯＭ４またはＨＤＤ５に格納されたプログラムをＲＡＭ３内に読み出して実行することにより、後述する各処理を実行する。
【００２３】
制御部２は、特定部２Ａおよび表示制御部２Ｂを含む。表示制御部２Ｂは、ＨＤＤ５に記録されている複数のコンテンツのコンテンツ情報の一覧であるコンテンツ情報リストを生成し、図２に示すようなコンテンツ情報リスト画面を表示部７に表示させる。コンテンツ情報は、例えば、アーティスト名、アルバム名、トラック名（曲名）等のメタデータである。表示制御部２Ｂは、１又は複数の先頭文字にそれぞれが対応する複数のタブを表示させ、ユーザ操作によってタブが選択された場合に、選択されたタブに対応する１又は複数の先頭文字から始まる１又は複数のコンテンツ情報を含むコンテンツ情報リストを表示させる。
【００２４】
複数の曲の中からユーザ操作によって再生すべき曲を選択する際のモードとして、アーティストモード、アルバムモード、トラックモードが存在する。アーティストモードは、（１）全アーティスト名のアーティスト名リストからアーティスト名を選択し、（２）選択されたアーティスト名のアルバムを含むアルバム名リストからアルバム名を選択し、（３）選択されたアルバム名のトラックを含むトラック名リストからトラック名を選択するモードである。アルバムモードは、（１）全アルバム名のアルバム名リストからアルバム名を選択し、（２）選択されたアルバム名のトラックを含むトラック名リストからトラック名を選択するモードである。トラックモードは、全トラック名を含むトラック名リストからトラック名を選択するモードである。
【００２５】
図２は、アーティストモードにおいて、アーティスト名を選択するためのアーティスト名リスト画面を示す。タブの選択によって、アーティスト名リストに表示されるアーティスト名が絞り込まれる。タブには、ひらがなの先頭文字、及び／又は、英字の2,3文字が表示される。例えば、タブの名称は、「あ」「か」「さ」…「ABC」「DEF」等である。「あ」のタブは「あ」行を意味し、「あ」のタブを選択すると、先頭文字が「あ」行、つまり、「あ」「い」「う」「え」「お」であるアーティスト名が五十音順でアーティスト名リストに表示される。「ABC」のタブを選択すると、先頭文字が「Ａ」「Ｂ」「Ｃ」であるアーティスト名がアルファベット順でアーティスト名リストに表示される。なお、アルバム名リストやトラック名リストについても同様である。
【００２６】
ここで先頭文字について定義する。先頭文字には、代表先頭文字とサブ先頭文字とが存在する。代表先頭文字は、仮名の場合、タブに表示される先頭文字であり、「あ」「か」「さ」・・等である。また、代表先頭文字は、英字の場合、タブの一文字目に表示される先頭文字であり、「ＡＢＣ」タブにおける「Ａ」がこれに対応する。サブ先頭文字は、代表先頭文字以外の先頭文字であり、仮名の場合、「あ」タブにおける「い」「う」「え」「お」や、「か」タブにおける「き」「く」「け」「こ」等であり、英字の場合、「ＡＢＣ」タブにおける「Ｂ」「Ｃ」等である。
【００２７】
特定部２Ａは、コンテンツ情報（アーティスト名、アルバム名、トラック名）の各々に関して、各先頭文字の選択回数（好ましくは、現在から所定期間前までの選択回数）を管理する。そして、特定部２Ａは、各先頭文字の選択回数に基づいて、選択回数が多いサブ先頭文字を、独立および分割してその先頭文字のコンテンツ情報のみを含むタブを表示するサブ先頭文字として特定する。例えば、図２において、先頭文字「え」が「あ」のタブから独立したタブとして表示されている。「え」のタブが選択された場合、先頭文字が「え」で始まるコンテンツ情報のみがコンテンツ情報リストに表示される。
【００２８】
あるいは、特定部２Ａは、各先頭文字の選択回数に基づいて、タブ内の全先頭文字の選択回数が少ないタブであって、相互に隣接する複数のタブを、結合して表示すべきタブとして特定する。例えば、図２において、「か」「さ」のタブが結合されて１つのタブ「かさ」として表示されている。「かさ」のタブが選択された場合、先頭文字が「か」行である「か」「き」「く」「け」「こ」、及び、先頭文字が「さ」行である「さ」「し」「す」「せ」「そ」であるコンテンツ情報がリストに表示される。
【００２９】
好ましくは、特定部２Ａは、各先頭文字の選択回数の（全先頭文字の選択回数に対する）偏差値を算出する。そして、特定部２Ａは、各先頭文字の選択回数の偏差値に基づいて、偏差値が第１所定値より大きいサブ先頭文字を、独立および分割してその先頭文字のコンテンツ情報のみを含むタブを表示するサブ先頭文字として特定する。および／または、特定部２Ａは、各先頭文字の選択回数の偏差値に基づいて、タブ内の全先頭文字の選択回数の偏差値が第２所定値よりも小さいタブであって、相互に隣接する複数のタブを、結合し表示すべきタブとして特定する。
【００３０】
なお、先頭文字の選択回数の偏差値を使用する代わりに、先頭文字の選択回数を全先頭文字の選択回数の合計で除算した値を使用することもできる。
【００３１】
ここで、選択回数について説明する。図３は、アーティストモード（アーティスト名リスト）、アルバムモード（アルバム名リスト）、トラックモード（トラック名リスト）の各々について、各先頭文字の選択回数を管理するためのテーブルであり、ＨＤＤ５等に保存されている。アーティストモードでは、アーティスト名リストからアーティスト名が選択された後、最終的にトラック名が選択されて再生開始した際に、選択されたアーティスト名の先頭文字の選択回数が１増加される（アルバム名やトラック名の選択回数は増加されない）。アルバムモードでは、アルバム名リストからアルバム名が選択された後、最終的にトラック名が選択されて再生開始した際に、選択されたアルバム名の先頭文字の選択回数が１増加される（アーティスト名やトラック名の選択回数は増加されない）。トラックモードでは、トラック名リストからトラック名が選択され、再生開始した際に、選択されたトラック名の先頭文字の選択回数が１増加される（アーティスト名やアルバム名の選択回数は増加されない）。
【００３２】
表示制御部２Ｂは、特定部２Ａによって特定された結果に応じて、コンテンツ情報リスト画面を変更し、表示部７に表示させる。
【００３３】
図１に戻って、ＨＤＤ５には複数のコンテンツ（本例では曲データ）が記録されている。ＨＤＤ５に記録されている曲データは、制御部２の指示によって読み出され、再生部８によって再生される。
【００３４】
操作部６は、ユーザからの指示を受け付けて制御部２に送信するものであり、操作ボタンやリモコン等である。例えば、操作部６には、コンテンツリスト画面を表示する指示がユーザ操作によって入力される。
【００３５】
表示部７は、ＬＣＤ（液晶ディスプレイ）等であり、表示制御部２Ｂの指示に基づいて、図２のコンテンツリスト画面を表示する。
【００３６】
次に、コンテンツ再生装置１００の動作を説明する。図４は、制御部２による先頭文字の選択回数を更新する処理を示すフローチャートである。制御部２は、いずれかのモードによって最終的にトラックが選択され、曲が再生開始されたか否かを判断する（Ｓ１）。トラックが選択され、曲が再生開始された場合（Ｓ１でＹＥＳ）、制御部２は、トラックを選択した際のモードの情報を取得する（Ｓ２）。モードの情報はＲＡＭ３に一時的に記憶されている。制御部２は、取得したモードにおける選択されたコンテンツ情報の先頭文字を取得する（Ｓ３）。これもＲＡＭ３に一時的に記憶されている。例えば、アーティストモードでトラックが選択された場合、選択されたアーティスト名の先頭文字が取得される。制御部２は、取得したモードについて、取得した先頭文字の選択回数を１増加させる（Ｓ４）。つまり、アーティストモードで選択したアーティスト名の先頭文字が「え」であれば、「え」の選択回数が１増加される。
【００３７】
図５は、コンテンツ情報リスト画面を変更する制御部２の処理を示すフローチャートである。制御部２は、コンテンツ情報リスト画面（詳細にはタブの表示内容）を変更する必要があるか否かを判断する（Ｓ１１）。例えば、コンテンツ再生装置を電源オン状態にする毎に、コンテンツ情報リスト画面を変更するように設計されている場合、電源オン状態にされたか否かが判断される。
【００３８】
コンテンツリスト画面を変更する必要がある場合（Ｓ１１でＹＥＳ）、以下の処理を、コンテンツ情報（アーティスト名、アルバム名、トラック名）の各々について、実行する。まず、制御部２は、各先頭文字の選択回数の偏差値を算出し、ＲＡＭ３に保存する（Ｓ１２）。
【００３９】
続いて、制御部２は、独立してその先頭文字のコンテンツ情報のみを含むタブを表示するサブ先頭文字、及び、相互に隣接する複数の結合すべきタブの登録をクリアする（Ｓ１３）。この登録情報は、例えばＨＤＤ５に登録されている。
【００４０】
続いて、制御部２は、全先頭文字の中から、偏差値が第１所定値（例えば６０）よりも大きい先頭文字をＲＡＭ３上で抽出して保存する（Ｓ１４）。つまり、選択回数が他と比較して多い先頭文字が抽出される。
【００４１】
制御部２は、Ｓ１４で抽出した先頭文字の中で、タブ内でその先頭文字のコンテンツ情報に最初に到達するまでに要するカーソルダウンキー操作回数を判別する。ここで、図６は、各先頭文字で始まるコンテンツ情報の数を管理するテーブルであり、アーティスト名、アルバム名、トラック名毎にそれぞれ、ＨＤＤ５内で管理されている。例えば、「あ」タブが選択されている場合、先頭文字が「え」であるコンテンツ情報に最初に到達するまでには、先頭文字が「あ」「い」「う」のコンテンツ情報をスキップする必要がある。従って、先頭文字が「あ」「い」「う」のコンテンツ情報の総数だけカーソルダウンキーを操作する必要がある。つまり、図６の例では６８回カーソルダウンキー操作が必要となる。制御部２は、Ｓ１４で抽出した先頭文字の中から、このカーソルダウンキー操作回数が所定回数（例えば１０回）よりも大である先頭文字をさらに抽出する（Ｓ１５）。つまり、コンテンツ情報をユーザが選択するまでに時間がかかる先頭文字を抽出する。
【００４２】
制御部２は、Ｓ１５で抽出した先頭文字をデフォルトのタブ内から独立および分割し、その先頭文字のコンテンツ情報のみを含むタブを新たに生成して表示することを示す情報をＨＤＤ５等の管理領域に登録する（Ｓ１６）。このように、選択回数が多く、かつ、デフォルトのタブ内で最初に到達するまでに多くのカーソルダウンキー操作が必要な先頭文字を独立したタブとして分割して表示することによって、ユーザの利便性が向上する。なお、Ｓ１５の処理を実行せずに、単に選択回数が多い先頭文字（但し、サブ先頭文字に限る）を独立したタブとして分割して表示させてもよい。
【００４３】
続いて、制御部２は、全先頭文字の中から、偏差値が第２所定値（例えば５０）よりも小さい先頭文字をＲＡＭ３上で抽出して保存する（Ｓ１７）。つまり、選択回数が他と比較して少ない先頭文字が抽出される。
【００４４】
制御部２は、各タブに関して、偏差値が５０よりも小さい先頭文字の個数をカウントする（Ｓ１８）。図７のテーブルに示すように、各タブに関し、maxNumはタブ内の全先頭文字の数であり、Numはタブ内で偏差値が５０よりも小さい先頭文字の数である。制御部２は、タブ内の全先頭文字が偏差値が５０よりも小さいタブを抽出する（Ｓ１９）。図７の場合、「か」「さ」「ＤＥＦ」のタブが抽出される。
【００４５】
続いて、制御部２は、Ｓ１９で抽出したタブの中で、コンテンツ情報リスト画面において、相互に隣接して表示される複数の（例えば２つの）タブが存在するか否かを判断する（Ｓ２０）。存在しなければ（Ｓ２０でＮＯ）、Ｓ２２に進む。存在すれば（Ｓ２０でＹＥＳ）、相互に隣接して表示される複数の（例えば２つの）タブを結合して、１つのタブとすることを示す情報をＨＤＤ５の管理領域に登録する（Ｓ２１）。図７の場合、「か」「さ」のタブが隣接しているので、これらのタブを結合して「かさ」タブとして表示することを登録する。
【００４６】
以上の処理を各コンテンツ情報（アーティスト名、アルバム名、トラック名）について実行した後、制御部２は、上記の登録内容に基づいて、コンテンツ情報リスト画面を変更する（Ｓ２２）。例えば、図２に示すように、選択回数の多い「え」のタブが「あ」タブから独立し分割したタブとして表示される。この場合、「あ」タブが選択されると、先頭文字が「あ」「い」「う」「お」のコンテンツ情報リストが表示され、「え」タブが表示されると、先頭文字が「え」のコンテンツ情報リストが表示される。また、選択回数が少なく相互に隣接する「か」タブと「さ」タブとが結合され、「かさ」タブとして表示される。「かさ」タブが選択されると、先頭文字が「か」「き」「く」「け」「こ」「さ」「し」「す」「せ」「そ」のコンテンツ情報リストが表示される。「か」タブと「さ」タブとが結合されているので、例えば「あ」タブから「た」タブにカーソルを移動させる回数を削減することができ、ユーザの利便性を向上させることができる。
【００４７】
以上の処理によって、ユーザが選択する回数の多いコンテンツ情報を迅速に探し出すことができるようになるので、利便性を向上することができる。なお、タブの結合を実行せずに、先頭文字の分割したタブ表示のみを実行してもよい。この場合、Ｓ１７〜Ｓ２１の処理は省略される。同様に、先頭文字の分割したタブ表示を実行せず、タブの結合のみを実行してもよい。この場合、Ｓ１２〜Ｓ１６の処理が省略される。
【００４８】
次に、本発明の別の好ましい実施形態を説明する。本例では、上記実施形態における各先頭文字の選択回数の代わりに、各先頭文字で始まるコンテンツ情報の数が使用される。各先頭文字で始まるコンテンツ情報の数は、図６のテーブルで管理されている。
【００４９】
特定部２Ａは、コンテンツ情報（アーティスト名、アルバム名、トラック名）の各々に関して、各先頭文字で始まる情報の数を管理する。そして、特定部２Ａは、各先頭文字で始まるコンテンツ情報の数に基づいて、コンテンツ情報の数が多いサブ先頭文字を、独立および分割してその先頭文字のコンテンツ情報のみを含むタブを表示するサブ先頭文字として特定する。あるいは、特定部２Ａは、各先頭文字で始まるコンテンツ情報の数に基づいて、タブ内の全先頭文字のコンテンツ情報の数が少ないタブであって、相互に隣接する複数のタブを、結合して表示すべきタブとして特定する。
【００５０】
好ましくは、特定部２Ａは、各先頭文字で始まるコンテンツ情報の数の（全先頭文字のコンテンツ情報の数に対する）偏差値を算出する。そして、特定部２Ａは、各先頭文字のコンテンツ情報の数の偏差値に基づいて、偏差値が第１所定値より大きいサブ先頭文字を、独立および分割してその先頭文字のコンテンツ情報のみを含むタブを表示するサブ先頭文字として特定する。および／または、特定部２Ａは、各先頭文字のコンテンツ情報の数の偏差値に基づいて、偏差値が第２所定値よりも小さいタブであって、相互に隣接する複数のタブを、結合し表示すべきタブとして特定する。
【００５１】
なお、先頭文字で始まるコンテンツ情報の数の偏差値を使用する代わりに、先頭文字で始まるコンテンツ情報の数を、全先頭文字で始まるコンテンツ情報の数の合計で除算した値を使用することもできる。
【００５２】
なお、本実施形態の動作は選択回数をコンテンツ情報の数に変更する以外は図５と同様であるので、上記説明を援用する。
【００５３】
以上、本発明の好ましい実施形態を説明したが、本発明はこれらの実施形態には限定されない。コンテンツを記録するサーバにネットワーク経由で接続可能なクライアントに本発明のコンテンツ情報リスト表示装置が適用されてもよい。本発明のコンテンツ情報リスト表示装置をコンピュータに実行させるためのコンピュータプログラム、又は、当該プログラムを記録した記憶媒体という形態で提供されてもよい。
【産業上の利用可能性】
【００５４】
本発明は、ＨＤＤレコーダやＰＣ等のコンテンツ再生装置に好適に採用され得る。
【符号の説明】
【００５５】
１              コンテンツ再生装置（コンテンツ情報リスト表示装置）
２              制御部
２Ａ            特定部
２Ｂ            表示制御部
３              ＲＡＭ
４              ＲＯＭ
５              ＨＤＤ
６              操作部
７              表示部
８              再生部
【図１】
2012083926.tif 000003
【図２】
2012083926.tif 000004
【図３】
2012083926.tif 000005
【図４】
2012083926.tif 000006
【図５】
2012083926.tif 000007
【図６】
2012083926.tif 000008
【図７】
2012083926.tif 000009
【図８】
2012083926.tif 000010